(57)【要約】  アクティベーション命令の確認装置、データ伝送モードの報告装置及び方法が提供される。確認装置は、重複伝送モードのアクティベーション命令又はディアクティベーション命令を受信する場合、ネットワーク装置に重複伝送モードのアクティベーション命令又はディアクティベーション命令の確認情報を送信する第一送信ユニットを含む。ネットワーク装置に重複伝送モードのアクティベーション又はディアクティベーション命令の確認情報、又はネットワーク装置にユーザ装置のデータ送信実体の現在のデータ伝送モードを示す情報を送信することで、ネットワーク装置は、ユーザ装置のデータ送信実体の現在のデータ伝送モードを確認し、ネットワーク装置とユーザ装置のデータ伝送モードに対しての設定の整合性を保証し、また、ネットワーク装置の、ユーザ装置のバッファ状態報告への誤解を避け得るため、データ伝送の信頼性及びリソース割り当ての合理性を保証できる。
2020509689.tif 000002
【特許請求の範囲】
【請求項１】
アクティベーション命令の確認装置であって、
重複伝送モードのアクティベーション命令又はディアクティベーション命令を受信している場合、ネットワーク装置に前記重複伝送モードのアクティベーション命令又はディアクティベーション命令の確認情報を送信するための第一送信ユニットを含む、確認装置。
【請求項２】
請求項1に記載の確認装置であって、
前記第一送信ユニットは、媒体アクセス制御層の制御エレメント（MAC  CE）により、前記ネットワーク装置に前記重複伝送モードのアクティベーション命令又はディアクティベーション命令の確認情報を送信する、確認装置。
【請求項３】
請求項2に記載の確認装置であって、
前記第一送信ユニットは、重複伝送確認MAC  CEにより、前記ネットワーク装置に前記重複伝送モードのアクティベーション命令又はディアクティベーション命令の確認情報を送信する、確認装置。
【請求項４】
請求項2に記載の確認装置であって、
前記媒体アクセス制御層の制御エレメントは、ユーザ装置が前記重複伝送モードのアクティベーション命令又はディアクティベーション命令を受信していることを示す、確認装置。
【請求項５】
請求項2に記載の確認装置であって、
前記媒体アクセス制御層の制御エレメントは、ビットマッピングの方式で、前記ユーザ装置の少なくとも1つのデータ送信実体の重複伝送モードが成功裏にアクティベーション又はディアクティベーションされているか、又は、前記ユーザ装置の少なくとも1つのデータ送信実体の現在のデータ伝送モードを示す、確認装置。
【請求項６】
請求項5に記載の確認装置であって、
前記媒体アクセス制御層の制御エレメントは、その特定のフィールド中の少なくとも1つのビットの値により、前記少なくとも1つのビットに対応する前記ユーザ装置の少なくとも1つのデータ送信実体の重複伝送モードが成功裏にアクティベーション又はディアクティベーションされているか、又は、前記少なくとも1つのビットに対応する前記ユーザ装置の少なくとも1つのデータ送信実体の現在のデータ伝送モードが重複伝送モード又は分割伝送モードであることを示す、確認装置。
【請求項７】
請求項1に記載の確認装置であって、
前記第一送信ユニットは、PDCP（Packet  Data  Convergence  Protocol）  PDU（Protocol  Data  Unit）により、前記ネットワーク装置に前記重複伝送モードのアクティベーション命令又はディアクティベーション命令の確認情報を送信する、確認装置。
【請求項８】
請求項7に記載の確認装置であって、
前記PDCP  PDUは、その特定のフィールドにより、前記ユーザ装置のデータ送信実体の重複伝送モードが成功裏にアクティベーション又はディアクティベーションされているか、又は、前記ユーザ装置のデータ送信実体の現在のデータ伝送モードが重複伝送モード又は分割伝送モードであることを示す、確認装置。
【請求項９】
データ伝送モードの報告装置であって、
ネットワーク装置にユーザ装置のデータ送信実体の現在のデータ伝送モードを示す情報を送信するための第二送信ユニットを含む、報告装置。
【請求項１０】
請求項9に記載の報告装置であって、
前記第二送信ユニットは、所定の周期に従って、前記ネットワーク装置に前記ユーザ装置のデータ送信実体の現在のデータ伝送モードを示す情報を送信し；又は
前記第二送信ユニットは、前記ユーザ装置のデータ送信実体のデータ伝送モードに変化があった場合、前記ネットワーク装置に前記データ送信実体の現在のデータ伝送モードを示す情報を送信する、報告装置。
【請求項１１】
請求項9に記載の報告装置であって、
前記第二送信ユニットは、媒体アクセス制御層の制御エレメント（MAC  CE）により、前記ネットワーク装置に前記ユーザ装置のデータ送信実体の現在のデータ伝送モードを示す情報を送信する、報告装置。
【請求項１２】
請求項11に記載の報告装置であって、
前記第二送信ユニットは、重複伝送確認MAC  CEにより、前記ネットワーク装置に前記ユーザ装置のデータ送信実体の現在のデータ伝送モードを示す情報を送信する、報告装置。
【請求項１３】
請求項11に記載の報告装置であって、
前記媒体アクセス制御層の制御エレメントは、ビットマッピングの方式で、少なくとも1つの前記データ送信実体の現在のデータ伝送モードを示す、報告装置。
【請求項１４】
請求項13に記載の報告装置であって、
前記媒体アクセス制御層の制御エレメントは、その特定のフィールド中の少なくとも1つのビットの値により、前記少なくとも1つのビットに対応する少なくとも1つのデータ送信実体の現在のデータ伝送モードを示す、報告装置。
【請求項１５】
請求項9に記載の報告装置であって、
前記第二送信ユニットは、PDCP（Packet  Data  Convergence  Protocol）  PDU（Protocol  Data  Unit）により、前記ネットワーク装置に前記ユーザ装置のデータ送信実体の現在のデータ伝送モードを示す情報を送信する、報告装置。
【請求項１６】
請求項15に記載の報告装置であって、
前記PDCP  PDUは、その特定のフィールドにより、前記データ送信実体の現在のデータ伝送モードを示す、報告装置。
【請求項１７】
請求項9〜16のうちの任意の1項に記載の報告装置であって、
前記データ伝送モードは、重複伝送モード又は分割伝送モードである、報告装置。
【請求項１８】
請求項1に記載のアクティベーション命令の確認装置又は請求項9に記載のデータ伝送モードの報告装置を含む、ユーザ装置。
【発明の詳細な説明】
【技術分野】
【０００１】
本発明は、通信分野に関し、特に、アクティベーション(Activation)命令の確認装置、データ伝送モードの報告装置及び方法に関する。
【背景技術】
【０００２】
今のところ、ネットワーク装置（例えば、基地局）及びユーザ装置（UE、User  Equipment）がデータ伝送を行うときに、データ送信実体（entity）が分割伝送（split  transmission）モードを採用することができ、即ち、異なるリンク上で異なるデータを伝送し、例えば、PDCP（Packet  Data  Convergence  Protocol）データの伝送を行うときに、異なるリンク上で異なるPDCP  PDU（Protocol  Data  Unit）を伝送することができる。
【０００３】
3GPP（3rd  Generation  Partnership  Project）では、次世代無線通信システムに関する議題についての議論が行われている。高信頼性のデータ伝送をサポートするために、次世代無線通信システムでは、データの重複伝送（duplication  transmission）モード、即ち、異なるリンク上での同じデータの伝送をサポートする。例えば、PDCPデータ（PDCP  PDU）のマルチリンクの重複伝送の場合、異なるリンク上で同じPDCP  PDUを伝送する。同じデータが複数の異なるリンク上で伝送されるダイバーシティ利得を用いることにより、データ伝送の誤り確率を減少させ、トラフィックの信頼性を保証することができる。
【０００４】
分割伝送モードに比べ、重複伝送モードのリソース利用率が比較的低い。例えば、重複伝送モードの場合、2つの異なるリンクを用いて同じデータを伝送するときに、リソース利用率が分割伝送モードの半分しかない。重複伝送モードでは、大量の無線リソースを犠牲してデータ伝送の信頼性を向上させる。よって、無線リンクの品質が良く、分割伝送モードでデータ伝送の信頼性を満足することができるときに、重複伝送モードをディアクティベーション（deactivation）し、分割伝送モードを採用する必要があり、また、無線リンクの品質が悪くなるときに、データ伝送の信頼性を保証するために、重複伝送モードをアクティベーション（activation）することができる。ネットワーク装置は、現在の無線リンクの品質及びトラフィックの要求に応じて、ユーザ装置のデータ伝送モードに対して設定を行うことができ、即ち、重複伝送モードをアクティベーション又はディアクティベーションすることができる。
【０００５】
なお、上述の背景技術についての紹介は、本発明の技術案を明確且つ完全に説明し、また、当業者がそれを理解しやすいためのものである。これらの技術案は、本発明の背景技術の一部に記述されているため、当業者にとって周知であると解釈すべきではない。
【発明の概要】
【発明が解決しようとする課題】
【０００６】
発明者が次のようなことを発見した。即ち、無線リンクの品質が悪くなるときに、ネットワーク装置がユーザ装置に重複伝送モードのアクティベーション命令を送信し、ユーザ装置が該命令を成功裏に受信しなければ、ユーザ装置が依然として分割伝送モードを採用してデータ伝送を行うため、該トラフィックの信頼性を保証することができず、また、無線リンクの品質が良く、分割伝送モードでデータ伝送の信頼性を満足することができるときに、ネットワーク装置がユーザ装置に重複伝送モードのディアクティベーション命令を送信し、ユーザ装置が成功裏に該命令を受信しなければ、ユーザ装置が依然として重複伝送モードを採用してデータ伝送を行うため、リソースの利用率が低くなる。
【０００７】
また、発明者はさらに次のようなことも発見した。即ち、重複伝送モード及び分割伝送モードのバッファ状態計算方法及び報告方法が完全に同じであり、ネットワーク装置は、ユーザ装置が使用するデータ伝送モードに基づいて、異なる数量の無線リソースを割り当てる必要がある。ネットワーク装置により送信される重複伝送モードのアクティベーション又はディアクティベーション命令がユーザ装置により正確に受信されなければ、ネットワーク装置とユーザ装置のデータ伝送モードの設定が不整合になる問題を引き起こすことがある。この場合、ネットワーク装置は、ユーザ装置のバッファ状態報告に基づいてリソース割り当てを行うときに、リソース割り当てが多すぎ又は少なすぎる問題が生じる可能性がある。
【０００８】
本発明の実施例では、アクティベーション命令の確認装置、データ伝送モードの報告装置及び方法が提供され、ネットワーク装置は、ユーザ装置の現在のデータ伝送モードを確認し、ネットワーク装置とユーザ装置のデータ伝送モードに対しての設定の整合性を保証し、また、ネットワーク装置の、ユーザ装置のバッファ状態報告への誤解（misunderstanding）を避けることができるため、データ伝送の信頼性及びリソース割り当ての合理性を保証することができる。
【課題を解決するための手段】
【０００９】
本発明の実施例の第一側面によれば、アクティベーション命令の確認装置が提供され、前記装置は、重複伝送モードのアクティベーション命令又はディアクティベーション命令を受信する場合、ネットワーク装置に前記重複伝送モードのアクティベーション命令又はディアクティベーション命令の確認情報を送信するための第一送信ユニットを含む。
【００１０】
本発明の実施例の第二側面によれば、データ伝送モードの報告装置が提供され、前記装置は、ネットワーク装置にユーザ装置のデータ送信実体の現在のデータ伝送モードを示す情報を送信するための第二送信ユニットを含む。
【００１１】
本発明の実施例の第三側面によれば、ユーザ装置が提供され、前記ユーザ装置は、本発明の実施例の第一側面に記載のアクティベーション命令の確認装置又は本発明の実施例の第二側面に記載のデータ伝送モードの報告装置を含む。
【００１２】
本発明の実施例の第四側面によれば、アクティベーション命令の確認装置が提供され、前記装置は、端末装置が送信する重複伝送モードのアクティベーション命令又はディアクティベーション命令の確認情報を受信するための第一受信ユニットを含む。
【００１３】
本発明の実施例の第五側面によれば、アクティベーション命令の確認装置が提供され、前記装置は、重複伝送モードのアクティベーション命令又はディアクティベーション命令を送信してからの所定の期間内で端末装置が送信する前記重複伝送モードのアクティベーション命令又はディアクティベーション命令の確認情報を受信しない場合、前記端末装置に前記重複伝送モードのアクティベーション命令又はディアクティベーション命令を再び送信するための第四送信ユニットを含む。
【００１４】
本発明の実施例の第六側面によれば、ネットワーク装置が提供され、前記ネットワーク装置は、本発明の実施例の第四側面又は第五側面に記載のアクティベーション命令の確認装置を含む。
【００１５】
本発明の実施例の第七側面によれば、通信システムが提供され、前記通信システムは、本発明の実施例の第三側面に記載のユーザ装置及び本発明の実施例の第六側面に記載のネットワーク装置を含む。
【００１６】
本発明の実施例の第八側面によれば、アクティベーション命令の確認方法が提供され、前記方法は、重複伝送モードのアクティベーション命令又はディアクティベーション命令を受信する場合、ネットワーク装置に前記重複伝送モードのアクティベーション命令又はディアクティベーション命令の確認情報を送信することを含む。
【００１７】
本発明の実施例の第九側面によれば、データ伝送モードの報告方法が提供され、前記方法は、ネットワーク装置にユーザ装置のデータ送信実体の現在のデータ伝送モードを示す情報を送信することを含む。
【００１８】
本発明の実施例の第十側面によれば、アクティベーション命令の確認方法が提供され、前記方法は、端末装置が送信する重複伝送モードのアクティベーション命令又はディアクティベーション命令の確認情報を受信することを含む。
【００１９】
本発明の実施例の第十一側面によれば、アクティベーション命令の確認方法が提供され、前記方法は、重複伝送モードのアクティベーション命令又はディアクティベーション命令を送信してからの所定の期間内でユーザ装置が送信する前記重複伝送モードのアクティベーション命令又はディアクティベーション命令の確認情報を受信しない場合、前記ユーザ装置に前記重複伝送モードのアクティベーション命令又はディアクティベーション命令を再び送信することを含む。
【００２０】
本発明の実施例の第十二側面によれば、コンピュータ可読プログラムが提供され、そのうち、アクティベーション命令の確認装置又はユーザ装置中で前記プログラムを実行するときに、前記プログラムは、前記アクティベーション命令の確認装置又はユーザ装置に、本発明の実施例の第八側面に記載のアクティベーション命令の確認方法を実行させる。
【００２１】
本発明の実施例の第十三側面によれば、コンピュータ可読プログラムを記憶した記憶媒体が提供され、そのうち、前記コンピュータ可読プログラムは、アクティベーション命令の確認装置又はユーザ装置に、本発明の実施例の第八側面に記載のアクティベーション命令の確認方法を実行させる。
【００２２】
本発明の実施例の第十四側面によれば、コンピュータ可読プログラムが提供され、そのうち、データ伝送モードの報告装置又はユーザ装置中で前記プログラムを実行するときに、前記プログラムは、前記データ伝送モードの報告装置又はユーザ装置に、本発明の実施例の第九側面に記載のデータ伝送モードの報告方法を実行させる。
【００２３】
本発明の実施例の第十五側面によれば、コンピュータ可読プログラムを記憶した記憶媒体が提供され、そのうち、前記コンピュータ可読プログラムは、データ伝送モードの報告装置又はユーザ装置に、本発明の実施例の第九側面に記載のデータ伝送モードの報告方法を実行させる。
【００２４】
本発明の実施例の第十六側面によれば、コンピュータ可読プログラムが提供され、そのうち、アクティベーション命令の確認装置又はネットワーク装置中で前記プログラムを実行するときに、前記プログラムは、前記アクティベーション命令の確認装置又はネットワーク装置に、本発明の実施例の第十側面又は第十一側面に記載のアクティベーション命令の確認方法を実行させる。
【００２５】
本発明の実施例における第十七側面によれば、コンピュータ可読プログラムを記憶した記憶媒体が提供され、そのうち、前記コンピュータ可読プログラムは、アクティベーション命令の確認装置又はネットワーク装置に、本発明の実施例の第十側面又は第十一側面に記載のアクティベーション命令の確認方法を実行させる。
【００２６】
本発明の有益な効果が次の通りであり、即ち、ネットワーク装置に重複伝送モードのアクティベーション命令又はディアクティベーション命令の確認メッセージを送信し、又は、ネットワーク装置にユーザ装置のデータ送信実体の現在のデータ伝送モードを示す情報を報告することで、ネットワーク装置は、ユーザ装置のデータ送信実体の現在のデータ伝送モードを確認し、ネットワーク装置とユーザ装置のデータ伝送モードに対しての設定の整合性を保証し、また、ネットワーク装置の、ユーザ装置のバッファ状態報告への誤解を避けることができるため、データ伝送の信頼性及びリソース割り当ての合理性を保証することができる。
【００２７】
後述の説明及び図面を参照することで、本発明の特定の実施形態を詳しく開示し、本発明の原理を採用し得る態様を示す。なお、本発明の実施形態は、範囲上ではこれらによって限定されない。添付した特許請求の範囲内であれば、本発明の実施形態は、様々な変更、修正及び代替によるものを含んでも良い。
【００２８】
また、１つの実施方式について説明した及び／又は示した特徴は、同じ又は類似した方式で１つ又は複数の他の実施形態に用い、他の実施形態中の特徴と組み合わせ、又は、他の実施形態中の特徴を置換することもできる。
【００２９】
なお、「含む／有する」のような用語は、本明細書に使用されるときに、特徴、要素、ステップ、又はアセンブルの存在を指すが、１つ又は複数の他の特徴、要素、ステップ、又はアセンブリの存在又は付加を排除しないということも指す。
【図面の簡単な説明】
【００３０】
本発明の１つの図面又は１つの実施形態に記載の要素及び特徴は、１つ又は複数の他の図面又は実施形態に示した要素及び特徴と組み合わせることができる。また、図面では、類似した符号は、幾つの図面中の対応する部品を示し、複数の実施形態に用いる対応部品を示すためにも用いられる。
【図１】本発明の実施例における通信システムを示す図である。
【図２】本発明の実施例1におけるアクティベーション命令の確認方法を示す図である。
【図３】本発明の実施例1において重複伝送モードのアクティベーション命令の受信及び確認メッセージの送信を行う方法を示す図である。
【図４】本発明の実施例1において重複伝送モードのディアクティベーション命令の受信及び確認メッセージの送信を行う方法を示す図である。
【図５】本発明の実施例1における確認情報の送信のためのMAC  CEを示す図である。
【図６】本発明の実施例1における確認情報の送信のためのMAC  CEを示す他の図である。
【図７】本発明の実施例1におけるPDCP  PDUを示す図である。
【図８】本発明の実施例1におけるPDCP  PDUを示す他の図である。
【図９】本発明の実施例2におけるデータ伝送モードの報告方法を示す図である。
【図１０】本発明の実施例3におけるアクティベーション命令の確認方法を示す図である。
【図１１】本発明の実施例3におけるアクティベーション命令の確認方法を示す他の図である。
【図１２】本発明の実施例4におけるアクティベーション命令の確認方法を示す図である。
【図１３】本発明の実施例5におけるアクティベーション命令の確認方法を示す図である。
【図１４】本発明の実施例6におけるアクティベーション命令の確認方法を示す図である。
【図１５】本発明の実施例7におけるアクティベーション命令の確認装置を示す図である。
【図１６】本発明の実施例8におけるデータ伝送モードの報告装置を示す図である。
【図１７】本発明の実施例9におけるアクティベーション命令の確認装置を示す図である。
【図１８】本発明の実施例10におけるアクティベーション命令の確認装置を示す図である。
【図１９】本発明の実施例11におけるユーザ装置のシステム構成を示す図である。
【図２０】本発明の実施例12におけるユーザ装置のシステム構成を示す図である。
【図２１】本発明の実施例13におけるネットワーク装置の構成を示す図である。
【図２２】本発明の実施例14におけるネットワーク装置の構成を示す図である。
【発明を実施するための形態】
【００３１】
添付した図面及び以下の説明を参照することにより、本発明の前述及び他の特徴が明らかになる。なお、明細書及び図面では、本発明の特定の実施形態を開示しているが、それは、本発明の原理を採用し得る一部のみの実施形態を示し、理解すべきは、本発明は、記載されている実施形態に限定されず、即ち、本発明は、添付した特許請求の範囲内での全ての変更、変形及び代替によるものも含むということである。
【００３２】
本発明の実施例では、用語“通信ネットワーク”又は“無線通信ネットワーク”は、次のような任意の通信規格に準ずるネットワークを指しても良く、例えば、LTE（LTE、Long  Term  Evolution）、LTE-A（LTE-Advanced）、WCDMA(登録商標)（Wideband  Code  Division  Multiple  Access）、HSPA（High-Speed  Packet  Access）などである。
【００３３】
また、通信システム中の装置間の通信は、任意の段階の通信プロトコルに従って行われても良く、例えば、次のような通信プロトコルを含んでも良いが、それに限定されず、即ち、1G（generation）、2G、2.5G、2.75G、3G、4G、4.5G及び将来の5G、新無線（NR、New  Radio）など、及び／又は、その他の従来の又は将来に開発される通信プロトコルである。
【００３４】
本発明の実施例では、用語“ネットワーク装置”は、例えば、通信システム中の、端末装置を通信ネットワークに接続し、該端末装置にサービスを提供する装置を指す。ネットワーク装置は、次のようなものを含んでも良いが、それに限定されず、即ち、基地局（BS、Base  Station）、アクセスポイント（AP、Access  Point）、送受信ポイント（TRP、Transmission  Reception  Point）、ブロードキャスト送信機、モバイル管理エンティティ（MME、Mobile  Management  Entity）、ネットワークゲートウェイ、サーバー、無線ネットワーク制御器（RNC、Radio  Network  Controller）、基地局制御器（BSC、Base  Station  Controller）などである。
【００３５】
そのうち、基地局は、次のようなものを含んでも良いが、それに限定されず、即ち、ノードB（NodeB又はNB）、進化ノードB（eNodeB又はeNB）及び5G基地局（gNB）などであり、さらにRRH（Remote  Radio  Head）、RRU（Remote  Radio  Unit）、リレー（relay）又は低パワーノード（例えば、femto、picoなど）を含んでも良い。また、用語“基地局”は、それらの一部又は全ての機能を含んでも良く、各基地局は、特定の地理の領域に対して通信カバレッジを提供することができる。用語“セル”が指すのは、基地局及び／又はそのカバーする領域であっても良い、これは、該用語のコンテキストによるものである。
【００３６】
本発明の実施例では、用語“ユーザ装置”（UE、User  Equipment）又は“端末装置”（TE、Terminal  Equipment）は、例えば、ネットワーク装置により通信ネットワークにアクセスし、そして、ネットワークからのサービスを受ける装置を指す。ユーザ装置は、固定したもの又は移動するものであっても良く、また、移動ステーション（MS、Mobile  Station）、端末、ユーザステーション（SS、Subscriber  Station）、アクセス端末（AT、Access  Terminal）、ステーションなどとも称される。
【００３７】
そのうち、ユーザ装置は、次のようなものを含んでも良いが、それに限定されず、例えば、携帯電話（Cellular  Phone）、PDA（Personal  Digital  Assistant）、無線モデム、無線通信装置、携帯装置、機器型通信装置、ラップトップコンピュータ、コードレス電話機、スマートフォン、スマートウォッチ、デジタルカメラなどである。
【００３８】
また、例えば、IoT（Internet  of  Things）などのシナリオでは、ユーザ装置は、さらに、監視又は測定を行う機器又は装置であっても良く、例えば、次のようなものを含んでも良いが、それに限定されず、即ち、機器型通信（MTC、Machine  Type  Communication）端末、車載通信端末、D2D（Device  to  Device）端末、M2M（Machine  to  Machine）端末などである。
【００３９】
本発明の実施例は、各種類のデータ伝送に適用することができる。なお、本発明の実施例では、PDCP  PDUの伝送を例として説明を行うが、本発明の実施例は、これに限定されない。
【００４０】
以下、例を挙げて本発明の実施例に係るシナリオについて説明するが、本発明の実施例は、これに限定されない。
【００４１】
図1は、本発明の実施例における通信システムを示す図であり、ユーザ装置及びネットワーク装置を例とするケースを示す。図1に示すように、通信システム100は、ネットワーク装置101及びユーザ装置102を含んでも良い（説明の便宜のため、図1では、1つのユーザ装置を例として説明を行う）。
【００４２】
本発明の実施例では、ネットワーク装置101とユーザ装置102との間は、従来のトラフィック又は将来に実施し得るトラフィックを行うことができる。例えば、これらのトラフィックは、次のようなものを含んでも良いが、それに限定されず、即ち、eMBB(enhanced  Mobile  Broadband）、mMTC(massive  Machine  Type  Communication）、URLLC(Ultra-Reliable  and  Low-Latency  Communication）などである。
【実施例１】
【００４３】
本発明の実施例は、アクティベーション命令の確認方法を提供し、該方法は、ユーザ装置側に応用される。図2は、本発明の実施例1におけるアクティベーション命令の確認方法を示す図である。図2に示すように、該方法は、以下のようなスッテプを含む。
【００４４】
ステップ201：重複伝送モードのアクティベーション命令又はディアクティベーション命令を受信した場合、ネットワーク装置に該重複伝送モードのアクティベーション命令又はディアクティベーション命令の確認情報を送信する。
【００４５】
本実施例では、ユーザ装置及びネットワーク装置がデータ伝送を行うときに、データ送信実体が重複伝送モードを含む複数のデータ伝送モードを採用することができ、例えば、該データ伝送モードは、さらに、分割伝送モードであっても良い。そのうち、重複伝送モードとは、異なるリンク上で同じデータを伝送することを指し、分割伝送モードとは、異なるリンク上で異なるデータを伝送することを指す。
【００４６】
本実施例では、ユーザ装置のデータ送信実体がデータ伝送を行うときに、それが黙認するデータ伝送モードは、例えば、分割伝送モードであっても良い。このような場合、ネットワーク装置は、現在の無線リンクの品質及びトラフィックの要求に応じて、ユーザ装置のデータ送信実体のデータ伝送モードに対して設定を行うことができ、即ち、重複伝送モードをアクティベーション又はディアクティベーションすることができる。
【００４７】
本実施例では、該データ送信実体は、ユーザ装置中の各種の実体であっても良く、例えば、PDCP実体である。
【００４８】
本実施例では、ユーザ装置は、各種のデータ伝送を行うことができ、データ送信実体は、ユーザ装置中の各種の実体であっても良い。以下、ユーザ装置のPDCP実体をデータ送信実体とするケースを例とし、受信した命令を重複伝送モードのアクティベーション命令とディアクティベーション命令に分けてそれぞれ例示的に説明を行う。
【００４９】
図3は、本発明の実施例1における重複伝送モードのアクティベーション命令の受信及び確認メッセージの送信を行う方法を示す図である。図3に示すように、該方法は、以下のようなステップを含む。
【００５０】
ステップ301：ユーザ装置が、ネットワーク装置により送信される重複伝送モードのアクティベーション命令を受信し；
ステップ302：PDCP実体が分割伝送モードを用いてデータ伝送を行っている場合、分割伝送モードを停止し、重複伝送モードを採用してデータ伝送を行い；
ステップ303：PDCP実体が重複伝送モードを用いてデータ伝送を行っている場合、継続して重複伝送モードを採用してデータ伝送を行い；
ステップ304：ネットワーク装置に該重複伝送モードのアクティベーション命令の確認情報を送信する。
【００５１】
図4は、本発明の実施例1における重複伝送モードのディアクティベーション命令の受信及び確認メッセージの送信を行う方法を示す図である。図4に示すように、該方法は、以下のようなステップを含む。
【００５２】
ステップ401：ユーザ装置が、ネットワーク装置により送信される重複伝送モードのディアクティベーション命令を受信し；
ステップ402：PDCP実体が重複伝送モードを用いてデータ伝送を行っている場合、重複伝送モードを停止し、分割伝送モードを採用してデータ伝送を行い；
ステップ403：PDCP実体が分割伝送モードを用いてデータ伝送を行っている場合、継続して分割伝送モードを採用してデータ伝送を行い；
ステップ404：ネットワーク装置に該重複伝送モードのディアクティベーション命令の確認情報を送信する。
【００５３】
本実施例では、上述のステップ304及びステップ302又は303は、同時に実行されても良く、前後して実行されても良く、同様に上述のステップ404及びステップ402又は403も、同時に実行されても良く、前後して実行されても良い。本発明の実施例では、これらのステップの前後順序について限定しない。
【００５４】
本実施例では、ユーザ装置は、各種の方法で該確認情報を送信することができる。例えば、媒体アクセス制御（Media  Access  Control、MAC）層の制御エレメント（Control  Element、CE）により、ネットワーク装置に該重複伝送モードのアクティベーション命令又はディアクティベーション命令の確認情報を送信しても良い。
【００５５】
例えば、ユーザ装置は、1つの特定のMAC  CEにより、該確認情報を送信し、例えば、重複伝送確認MAC  CE（Duplication  confirmation  MAC  Control  Element）を用いて該確認情報を送信することができる。
【００５６】
本実施例では、該確認情報を送信するためのMAC  CEは、例えば、それに対応するMAC  PDUのサブヘッダ中の単独定義のLCID（Logical  Channel  Identity）により確定することができる。
【００５７】
本実施例では、該MAC  CEは、該重複伝送モードのアクティベーション命令又はディアクティベーション命令が受信されていることを示しても良く、ビットマッピングの方式で、ユーザ装置の少なくとも1つのデータ送信実体の重複伝送モードが成功裏にアクティベーション又はディアクティベーションされているかを示し、又は、ユーザ装置の少なくとも1つのデータ送信実体の現在のデータ伝送モードを示しても良い。以下、この2つの場合についてそれぞれ例示的に説明を行う。
【００５８】
図5は、本発明の実施例1における確認情報送信用のMAC  CEを示す図である。図5に示すように、該MAC  CEは、ヘッダLCIDを含み、後ろの内容は、空であっても良い。ネットワーク装置が該MAC  CEを受信しているときに、ユーザ装置が既に該重複伝送モードのアクティベーション命令又はディアクティベーション命令を受信していることを表す。
【００５９】
本実施例では、例えば、該MAC  CEの特定のフィールド中の少なくとも1つのビットの値により、該少なくとも1つのビットに対応するユーザ装置の少なくとも1つのデータ送信実体の現在のデータ伝送モードが重複伝送モード又は分割伝送モードであることを示す。図6は、本発明の実施例1における確認情報送信用のMAC  CEを示す他の図である。図6に示すように、該MAC  CEは、ヘッダLCIDを含み、特定のフィールド中の複数のビットがそれぞれユーザ装置のデータ送信実体としての複数のPDCP実体に対応し、例えば、あるビットの値が“1”と設定されるときに、それに対応するPDCP実体の重複伝送モードが成功裏にアクティベーションされていることを示し、又は、それに対応するPDCP実体の現在のデータ伝送モードが重複伝送モードであることを示し、あるビットの値が“0”と設定されるときに、それに対応するPDCP実体の重複伝送モードが成功裏にディアクティベーションされていることを示し、又は、それに対応するPDCP実体の現在のデータ伝送モードが分割伝送モードであることを示す。
【００６０】
本実施例では、図5及び図6に示すMAC  CEの構成は、例示に過ぎず、本発明の実施例では、MAC  CE中のフィールドの位置及び長さについて限定しない。
【００６１】
本実施例では、ユーザ装置は、さらに、PDCP  PDUにより、ネットワーク装置に該重複伝送モードのアクティベーション命令又はディアクティベーション命令の確認情報を送信しても良い。例えば、PDCP  PDUの特定のフィールドにより、データ送信実体の重複伝送モードが成功裏にアクティベーション又はディアクティベーションされているかを示し、又は、ユーザ装置のデータ送信実体の現在のデータ伝送モードが重複伝送モード又は分割伝送モードであることを示すことができる。
【００６２】
PDCP実体がデータ送信実体であるケースを例として説明を行う。例えば、PDCP  PDU中のある特定のフィールドにより、該PDCP  PDUを送信するPDCP実体の重複伝送モードが成功裏にアクティベーション又はディアクティベーションされているかを示し、又は、該PDCP  PDUを送信するPDCP実体の現在のデータ伝送モードが重複伝送モード又は分割伝送モードであることを示す。
【００６３】
図7は、本発明の実施例1におけるPDCP  PDUを示す図であり、図8は、本発明の実施例1におけるPDCP  PDUを示す他の図である。図7及び図8に示すように、PDCP  PDU中のある特定のフィールドが“1”と設定されるときに、該PDCP  PDUを送信するPDCP実体の重複伝送モードが成功裏にアクティベーションされていることを示し、又は、該PDCP  PDUを送信するPDCP実体の現在のデータ伝送モードが重複伝送モードであることを示し、PDCP  PDU中のある特定のフィールドが“0”と設定されるときに、該PDCP  PDUを送信するPDCP実体の重複伝送モードが成功裏にディアクティベーショされていることを示し、又は、該PDCP  PDUを送信するPDCP実体の現在のデータ伝送モードが分割伝送モードであることを示す。
【００６４】
本実施例では、図7及び図8に示すPDCP  PDUの構成は、例示に過ぎず、本発明の実施例では、PDCP  PDU中のフィールドの位置及び長さについて限定しない。
【００６５】
上述の実施例から分かるように、ネットワーク装置に重複伝送モードのアクティベーション命令又はディアクティベーション命令の確認メッセージを送信することで、ネットワーク装置は、ユーザ装置のデータ送信実体の現在のデータ伝送モードを確認し、ネットワーク装置とユーザ装置のデータ伝送モードに対しての設定の整合性を保証し、また、ネットワーク装置の、ユーザ装置のバッファ状態報告への誤解を避けることができるため、データ伝送の信頼性及びリソース割り当ての合理性を保証することができる。
【実施例２】
【００６６】
本発明の実施例は、データ伝送モードの報告方法を提供し、該方法は、ユーザ装置側に応用される。図9は、本発明の実施例2におけるデータ伝送モードの報告方法を示す図である。図9に示すように、該方法は、以下のステップを含む。
【００６７】
ステップ901：ネットワーク装置にユーザ装置のデータ送信実体の現在のデータ伝送モードを示す情報を送信する。
【００６８】
本実施例では、ユーザ装置及びネットワーク装置がデータ伝送を行うときに、データ送信実体は、複数のデータ伝送モードを採用することができ、例えば、該データ伝送モードは、重複伝送モード又は分割伝送モードであっても良い。そのうち、重複伝送モードとは、異なるリンク上で同じデータを伝送することを指し、分割伝送モードとは、異なるリンク上で異なるデータを伝送することを指す。また、該データ伝送モードは、他の伝送モードであっても良い。
【００６９】
例えば、該ユーザ装置のデータ送信実体の現在のデータ伝送モードを示す情報により示されるのは、ユーザ装置のデータ送信実体の現在のデータ伝送モードが重複伝送モード又は分割伝送モードであることである。
【００７０】
本実施例では、ユーザ装置は、各種のデータ伝送を行うことができ、該データ送信実体は、例えば、ユーザ装置中の各種の実体であっても良く、例えば、PDCP実体である。
【００７１】
ステップ901において、ユーザ装置がネットワーク装置にユーザ装置のデータ送信実体の現在のデータ伝送モードを示す情報を送信することは、予め設定されている条件に基づいても良い。
【００７２】
例えば、所定の周期に従って、ネットワーク装置にユーザ装置のデータ送信実体の現在のデータ伝送モードを示す情報を送信することができる。該所定の周期は、実際のニーズに応じて設定されても良い。
【００７３】
また、例えば、ユーザ装置のデータ送信実体のデータ伝送モードに変化があるときに、ネットワーク装置に該データ送信実体の現在のデータ伝送モードを示す情報を送信することができる。例えば、該データ送信実体のデータ伝送モードが重複伝送モードから分割伝送モードに変わったときに、又は、該データ送信実体のデータ伝送モードが分割伝送モードから重複伝送モードに変わったときに、ネットワーク装置にユーザ装置のデータ送信実体の現在のデータ伝送モードを示す情報を送信しても良い。
【００７４】
本実施例では、ユーザ装置は、各種の方法で該情報を送信することができる。例えば、媒体アクセス制御層の制御エレメント（MAC  CE）により、ネットワーク装置にユーザ装置のデータ送信実体の現在のデータ伝送モードを示す情報を送信しても良い。
【００７５】
例えば、ユーザ装置は、1つの特定のMAC  CEで該情報を送信し、例えば、重複伝送確認MAC  CE（Duplication  confirmation  MAC  Control  Element）を用いて該情報を送信しても良い。
【００７６】
本実施例では、該情報送信用のMAC  CEは、例えば、それに対応するMAC  PDUのサブヘッダ中の単独定義のLCID（Logical  Channel  Identity）により確定することができる。
【００７７】
本実施例では、実施例1と同様に、該MAC  CEは、ビットマッピングの方式で、ユーザ装置の少なくとも1つのデータ送信実体の現在のデータ伝送モードを示すことができる。例えば、該MAC  CEの特定のフィールド中の少なくとも1つのビットの値により、該少なくとも1つのビットに対応する少なくとも1つの該データ送信実体の現在のデータ伝送モードが、例えば、重複伝送モード又は分割伝送モードであることを示しても良い。
【００７８】
本実施例では、該MAC  CEの構成は、図6に示すようであっても良く、該MAC  CEは、ヘッダLCIDを含み、特定のフィールド中の複数のビットがそれぞれユーザ装置のデータ送信実体としての複数のPDCP実体に対応し、例えば、あるビットの値が“1”と設定されるときに、それに対応するPDCP実体の現在のデータ伝送モードが重複伝送モードであることを示し、あるビットの値が“0”と設定されるときに、それに対応するPDCP実体の現在のデータ伝送モードが分割伝送モードであることを示しても良い。
【００７９】
本実施例では、ユーザ装置は、さらに、PDCP  PDUにより、ネットワーク装置に該ユーザ装置のデータ送信実体の現在のデータ伝送モードを示す情報を送信することができる。例えば、PDCP  PDUの特定のフィールドにより、ユーザ装置のデータ送信実体の現在のデータ伝送モードが、例えば、重複伝送モード又は分割伝送モードであることを示しても良い。
【００８０】
PDCP実体がデータ送信実体であるケースを例として説明を行う。例えば、PDCP  PDU中のある特定のフィールドにより、該PDCP  PDUを送信するPDCP実体の現在のデータ伝送モードが、例えば、重複伝送モード又は分割伝送モードであることを示す。
【００８１】
実施例1と同様に、図7及び図8に示すように、PDCP  PDU中のある特定のフィールドが“1”と設定されるときに、該PDCP  PDUを送信するPDCP実体の現在のデータ伝送モードが重複伝送モードであることを示し、PDCP  PDU中のある特定のフィールドが“0”と設定されるときに、該PDCP  PDUを送信するPDCP実体の現在のデータ伝送モードが分割伝送モードであることを示すことができる。
【００８２】
上述の実施例から分かるように、ネットワーク装置にユーザ装置のデータ送信実体の現在のデータ伝送モードを示す情報を報告することで、ネットワーク装置は、ユーザ装置のデータ送信実体の現在のデータ伝送モードを確認し、ネットワーク装置とユーザ装置のデータ伝送モードに対しての設定の整合性を保証し、また、ネットワーク装置の、ユーザ装置のバッファ状態報告への誤解を避けることができるため、データ伝送の信頼性及びリソース割り当ての合理性を保証することができる。
【実施例３】
【００８３】
本発明の実施例は、さらに、アクティベーション命令の確認方法を提供し、該方法は、ネットワーク装置側に応用され、それは、実施例1におけるアクティベーション命令の確認方法のユーザ装置側の処理に対応し、ここでは、実施例1と同じ内容の重複説明が省略される。
【００８４】
図10は、本発明の実施例3におけるアクティベーション命令の確認方法を示す図である。図10に示すように、該方法は、以下のようなステップを含む。
【００８５】
ステップ1001：ユーザ装置が送信する重複伝送モードのアクティベーション命令又はディアクティベーション命令の確認情報を受信する。
【００８６】
例えば、ネットワーク装置は、重複伝送モードのアクティベーション命令又はディアクティベーション命令を送信してからの所定の期間内でユーザ装置が送信する該重複伝送モードのアクティベーション命令又はディアクティベーション命令の確認情報を受信する。本実施例では、該所定の期間は、実際のニーズに応じて設定されても良い。
【００８７】
本実施例では、該方法は、さらに、以下のようなステップを含んでも良い。
【００８８】
ステップ1002：受信した、ユーザ装置が送信する重複伝送モードのアクティベーション命令又はディアクティベーション命令の確認情報により示される該ユーザ装置のデータ送信実体の現在のデータ伝送モードと、その前に該ユーザ装置に送信した命令とが不一致の場合、該ユーザ装置に該重複伝送モードのアクティベーション命令又はディアクティベーション命令を再び送信する。
【００８９】
例えば、ネットワーク装置がその前にユーザ装置に送信したのが重複伝送モードのアクティベーション命令であるが、受信した確認情報が示すユーザ装置のデータ送信実体の現在のデータ伝送モードが分割伝送モードである場合、ネットワーク装置は、該ユーザ装置に該重複伝送モードのアクティベーション命令を再び送信し、又は、ネットワーク装置がその前にユーザ装置に送信したのが重複伝送モードのディアクティベーション命令であるが、受信した確認情報が示すユーザ装置のデータ送信実体の現在のデータ伝送モードが複伝送モードである場合、ネットワーク装置は、該ユーザ装置に該重複伝送モードのディアクティベーション命令を再び送信する。
【００９０】
図11は、本発明の実施例3におけるアクティベーション命令の確認方法を示す他の図である。図11に示すように、該方法は、以下のようなステップを含む。
【００９１】
ステップ1101：ユーザ装置が送信する重複伝送モードのアクティベーション命令又はディアクティベーション命令の確認情報を受信し；
ステップ1102：受信した、ユーザ装置が送信する重複伝送モードのアクティベーション命令又はディアクティベーション命令の確認情報により示される該ユーザ装置のデータ送信実体の現在のデータ伝送モードと、その前に該ユーザ装置に送信した命令とが一致するかを判断し、判断の結果が“はい”のときに、プロセスを終了し、判断の結果が“いいえ”のときに、ステップ1103に進み；
ステップ1103：該ユーザ装置に該重複伝送モードのアクティベーション命令又はディアクティベーション命令を再び送信する。
【００９２】
このように、ネットワーク装置とユーザ装置のデータ伝送モードに対しての設定の整合性をさらに保証することができ、これにより、データ伝送の信頼性及びリソース割り当ての合理性をより一層保証することができる。
【００９３】
上述の実施例から分かるように、ユーザ装置が送信する重複伝送モードのアクティベーション命令又はディアクティベーション命令の確認メッセージを受信することで、ネットワーク装置は、ユーザ装置のデータ送信実体の現在のデータ伝送モードを確認し、ネットワーク装置とユーザ装置のデータ伝送モードに対しての設定の整合性を保証し、また、ネットワーク装置の、ユーザ装置のバッファ状態報告への誤解を避けることができるため、データ伝送の信頼性及びリソース割り当ての合理性を保証することができる。
【実施例４】
【００９４】
本発明の実施例は、さらに、アクティベーション命令の確認方法を提供し、該方法は、ネットワーク装置側に応用され、それは、実施例1におけるアクティベーション命令の確認方法のユーザ装置側の処理に対応し、ここでは、実施例1と同じ内容の重複説明が省略される。
【００９５】
図12は、本発明の実施例4におけるアクティベーション命令の確認方法を示す図である。図12に示すように、該方法は、以下のようなステップを含む。
【００９６】
ステップ1201：重複伝送モードのアクティベーション命令又はディアクティベーション命令を送信してからの所定の期間内でユーザ装置が送信する該重複伝送モードのアクティベーション命令又はディアクティベーション命令の確認情報を受信しない場合、該ユーザ装置に該重複伝送モードのアクティベーション命令又はディアクティベーション命令を再び送信する。
【００９７】
本実施例では、該所定の期間は、実際のニーズに応じて設定されても良い。
【００９８】
上述の実施例から分かるように、ある原因でネットワーク装置が命令を送信してからの所定の期間内で重複伝送モードのアクティベーション命令又はディアクティベーション命令の確認情報を受信しない場合、ネットワーク装置は、ユーザ装置に該命令を再び送信し、これにより、ネットワーク装置とユーザ装置のデータ伝送モードに対しての設定の整合性を保証し、また、ネットワーク装置の、ユーザ装置のバッファ状態報告への誤解を避けることができるため、データ伝送の信頼性及びリソース割り当ての合理性を保証することができる。
【実施例５】
【００９９】
本発明の実施例は、さらに、アクティベーション命令の確認方法を提供し、該方法は、ネットワーク装置側に応用され、それは、実施例1におけるアクティベーション命令の確認方法のユーザ装置側の処理に対応し、ここでは、実施例1と同じ内容の重複説明が省略される。
【０１００】
図13は、本発明の実施例5におけるアクティベーション命令の確認方法を示す図である。図13に示すように、該方法は、以下のようなステップを含む。
【０１０１】
ステップ1301：重複伝送モードのアクティベーション命令又はディアクティベーション命令を送信してからの所定の期間内でユーザ装置が送信する該重複伝送モードのアクティベーション命令又はディアクティベーション命令の確認情報を受信しているかを判断し、判断の結果が“はい”のときに、ステップ1302に進み、判断の結果が“いいえ”のときに、ステップ1303に進み；
ステップ1302：受信した、ユーザ装置が送信する重複伝送モードのアクティベーション命令又はディアクティベーション命令の確認情報により示される該ユーザ装置のデータ送信実体の現在のデータ伝送モードと、その前に該ユーザ装置に送信した命令とが一致するかを判断し、判断の結果が“はい”のときに、プロセスを終了し、判断の結果が“いいえ”のときに、ステップ1303に進み；
ステップ1303：該ユーザ装置に該重複伝送モードのアクティベーション命令又はディアクティベーション命令を再び送信する。
【０１０２】
本実施例では、該所定の期間は、実際のニーズに応じて設定されても良い。
【０１０３】
上述の実施例から分かるように、ユーザ装置が送信する重複伝送モードのアクティベーション命令又はディアクティベーション命令の確認メッセージを受信することで、ネットワーク装置は、ユーザ装置のデータ送信実体の現在のデータ伝送モードを確認し、ネットワーク装置とユーザ装置のデータ伝送モードに対しての設定の整合性を保証し、また、ネットワーク装置の、ユーザ装置のバッファ状態報告への誤解を避けることができるため、データ伝送の信頼性及びリソース割り当ての合理性を保証することができる。
【実施例６】
【０１０４】
本発明の実施例は、さらに、アクティベーション命令の確認方法を提供し、該方法は、ネットワーク装置側及びユーザ装置側に応用され、それは、実施例1におけるアクティベーション命令の確認方法のユーザ装置側の処理及び実施例3〜5のアクティベーション命令の確認方法のネットワーク装置側の処理に対応し、ここでは、実施例1及び実施例3〜5と同じ内容の重複説明が省略される。
【０１０５】
図14は、本発明の実施例6におけるアクティベーション命令の確認方法を示す図である。図14に示すように、該方法は、以下のようなステップを含む。
【０１０６】
ステップ1401：ネットワーク装置がユーザ装置に重複伝送モードのアクティベーション命令又はディアクティベーション命令を送信し；
ステップ1402：ユーザ装置が、受信した重複伝送モードのアクティベーション命令又はディアクティベーション命令に基づいて、重複伝送モードのアクティベーション又はディアクティベーションを行い；
ステップ1403：ユーザ装置がネットワーク装置に該重複伝送モードのアクティベーション命令又はディアクティベーション命令の確認情報を送信し；
ステップ1404：ネットワーク装置が、重複伝送モードのアクティベーション命令又はディアクティベーション命令を送信してからの所定の期間内でユーザ装置が送信する該重複伝送モードのアクティベーション命令又はディアクティベーション命令の確認情報を受信しているかを判断し；判断の結果が“はい”のときに、ステップ1405に進み、判断の結果が“いいえ”のときに、ステップ1406に進み；
ステップ1405：受信した、ユーザ装置が送信する重複伝送モードのアクティベーション命令又はディアクティベーション命令の確認情報により示される該ユーザ装置のデータ送信実体の現在のデータ伝送モードと、その前に該ユーザ装置に送信する命令とが一致するかを判断し、判断の結果が“はい”のときに、プロセスを終了し、判断の結果が“言いえ”のときに、ステップ1406に進み；
ステップ1406：該ユーザ装置に該重複伝送モードのアクティベーション命令又はディアクティベーション命令を再び送信する。
【０１０７】
上述の実施例から分かるように、ネットワーク装置に重複伝送モードのアクティベーション命令又はディアクティベーション命令の確認メッセージを送信することで、ネットワーク装置は、ユーザ装置のデータ送信実体の現在のデータ伝送モードを確認し、ネットワーク装置とユーザ装置のデータ伝送モードに対しての設定の整合性を保証し、また、ネットワーク装置の、ユーザ装置のバッファ状態報告への誤解を避けることができるため、データ伝送の信頼性及びリソース割り当ての合理性を保証することができる。
【実施例７】
【０１０８】
本発明の実施例は、さらに、アクティベーション命令の確認装置を提供し、該装置は、実施例1に記載のアクティベーション命令の確認方法に対応し、その具体的な実施は、実施例1におけるアクティベーション命令の確認方法の実施を参照することができ、ここでは、重複説明が省略される。
【０１０９】
図15は、本発明の実施例7におけるアクティベーション命令の確認装置を示す図である。図15に示すように、該装置1500は、以下のようなものを含む。
【０１１０】
第一送信ユニット1501：重複伝送モードのアクティベーション命令又はディアクティベーション命令を受信した場合、ネットワーク装置に該重複伝送モードのアクティベーション命令又はディアクティベーション命令の確認情報を送信する。
【０１１１】
本実施例では、該確認情報の送信方法、及び該確認情報が示す具体的な内容は、実施例1中の記載と同じであり、ここでは、その詳しい説明を省略する。
【０１１２】
上述の実施例から分かるように、ネットワーク装置に重複伝送モードのアクティベーション命令又はディアクティベーション命令の確認メッセージを送信することで、ネットワーク装置は、ユーザ装置のデータ送信実体の現在のデータ伝送モードを確認し、ネットワーク装置とユーザ装置のデータ伝送モードに対しての設定の整合性を保証し、また、ネットワーク装置の、ユーザ装置のバッファ状態報告への誤解を避けることができるため、データ伝送の信頼性及びリソース割り当ての合理性を保証することができる。
【実施例８】
【０１１３】
本発明の実施例は、さらに、データ伝送モードの報告装置を提供し、該装置は、実施例2に記載のデータ伝送モードの報告方法に対応し、その具体的な実施は、実施例2におけるデータ伝送モードの報告方法の実施を参照することができ、ここでは、重複説明が省略される。
【０１１４】
図16は、本発明の実施例8におけるデータ伝送モードの報告装置を示す図である。図16に示すように、該装置1600は、次のようなものを含む。
【０１１５】
第二送信ユニット1601：ネットワーク装置にユーザ装置のデータ送信実体の現在のデータ伝送モードを示す情報を送信する。
【０１１６】
本実施例では、該情報を送信する方法、及び該情報が示す具体的な内容は、実施例2中の記載と同じであり、ここでは、その詳しい説明を省略する。
【０１１７】
上述の実施例から分かるように、ネットワーク装置にユーザ装置のデータ送信実体の現在のデータ伝送モードを示す情報を報告することで、ネットワーク装置は、ユーザ装置のデータ送信実体の現在のデータ伝送モードを確認し、ネットワーク装置とユーザ装置のデータ伝送モードに対しての設定の整合性を保証し、また、ネットワーク装置の、ユーザ装置のバッファ状態報告への誤解を避けることができるため、データ伝送の信頼性及びリソース割り当ての合理性を保証することができる。
【実施例９】
【０１１８】
本発明の実施例は、さらに、アクティベーション命令の確認装置を提供し、該装置は、実施例3に記載のアクティベーション命令の確認方法に対応し、その具体的な実施は、実施例3におけるアクティベーション命令の確認方法の実施を参照することができ、ここでは、重複説明が省略される。
【０１１９】
図17は、本発明の実施例9におけるアクティベーション命令の確認装置を示す図である。図17に示すように、該装置1700は、以下のようなものを含む。
【０１２０】
第一受信ユニット1701：ユーザ装置が送信する重複伝送モードのアクティベーション命令又はディアクティベーション命令の確認情報を受信する。
【０１２１】
本実施例では、該装置1700は、さらに、以下のようなものを含んでも良い。
【０１２２】
第三送信ユニット1702：受信した、ユーザ装置が送信する重複伝送モードのアクティベーション命令又はディアクティベーション命令の確認情報により示される該ユーザ装置のデータ送信実体の現在のデータ伝送モードと、その前に該ユーザ装置に送信する命令とが不一致の場合、該ユーザ装置に該重複伝送モードのアクティベーション命令又はディアクティベーション命令を再び送信する。
【０１２３】
上述の実施例から分かるように、ユーザ装置が送信する重複伝送モードのアクティベーション命令又はディアクティベーション命令の確認メッセージを受信することで、ネットワーク装置は、ユーザ装置のデータ送信実体の現在のデータ伝送モードを確認し、ネットワーク装置とユーザ装置のデータ伝送モードに対しての設定の整合性を保証し、また、ネットワーク装置の、ユーザ装置のバッファ状態報告への誤解を避けることができるため、データ伝送の信頼性及びリソース割り当ての合理性を保証することができる。
【実施例１０】
【０１２４】
本発明の実施例は、さらに、アクティベーション命令の確認装置を提供し、該装置は、実施例4に記載のアクティベーション命令の確認方法に対応し、その具体的な実施は、実施例4におけるアクティベーション命令の確認方法の実施を参照することができ、ここでは、重複説明が省略される。
【０１２５】
図18は、本発明の実施例10におけるアクティベーション命令の確認装置を示す図である。図18に示すように、該装置1800は、以下のようなものを含む。
【０１２６】
第四送信ユニット1801：重複伝送モードのアクティベーション命令又はディアクティベーション命令を送信してからの所定の期間内でユーザ装置が送信する該重複伝送モードのアクティベーション命令又はディアクティベーション命令の確認情報を受信しない場合、該ユーザ装置に該重複伝送モードのアクティベーション命令又はディアクティベーション命令を再び送信する。
【０１２７】
本実施例では、該所定の期間は、実際のニーズに応じて設定されても良い。
【０１２８】
上述の実施例から分かるように、ある原因でネットワーク装置が命令を送信してからの所定の期間内で重複伝送モードのアクティベーション命令又はディアクティベーション命令の確認情報を受信しない場合、ネットワーク装置は、ユーザ装置に該命令を再び送信し、これにより、ネットワーク装置とユーザ装置のデータ伝送モードに対しての設定の整合性を保証し、また、ネットワーク装置の、ユーザ装置のバッファ状態報告への誤解を避けることができるため、データ伝送の信頼性及びリソース割り当ての合理性を保証することができる。
【実施例１１】
【０１２９】
本発明の実施例は、さらに、ユーザ装置を提供し、該ユーザ装置は、実施例7に記載のようなアクティベーション命令の確認装置を含む。
【０１３０】
図19は、本発明の実施例11におけるユーザ装置のシステム構成を示す図である。図19に示すように、該ユーザ装置1900は、処理器1910及び記憶器1920を含み、記憶器1920は、処理器1910に接続される。なお、該図は、例示に過ぎず、さらに該構造に対して、他の類型の構造を以て補充又は代替を行い、電気通信機能又は他の機能を実現しても良い。
【０１３１】
1つの実施方式では、アクティベーション命令の確認装置の機能は、処理器1910に統合されても良い。そのうち、処理器1910は、次のように構成されても良く、即ち、重複伝送モードのアクティベーション命令又はディアクティベーション命令を受信する場合、ネットワーク装置に前記重複伝送モードのアクティベーション命令又はディアクティベーション命令の確認情報を送信する。
【０１３２】
例えば、前記ネットワーク装置に前記重複伝送モードのアクティベーション命令又はディアクティベーション命令の確認情報を送信することは、媒体アクセス制御層の制御エレメント（MAC  CE）により、ネットワーク装置に前記重複伝送モードのアクティベーション命令又はディアクティベーション命令の確認情報を送信することを含む。
【０１３３】
例えば、重複伝送確認MAC  CEにより、ネットワーク装置に前記重複伝送モードのアクティベーション命令又はディアクティベーション命令の確認情報を送信することができる。
【０１３４】
例えば、前記媒体アクセス制御層の制御エレメントは、ユーザ装置が前記重複伝送モードのアクティベーション命令又はディアクティベーション命令を受信していることを示しても良い。
【０１３５】
例えば、前記媒体アクセス制御層の制御エレメントは、ビットマッピングの方式で、重複伝送モードが成功裏にアクティベーション又はディアクティベーションされているかを示しても良く、又は、ユーザ装置の少なくとも1つのデータ送信実体の現在のデータ伝送モードを示しても良い。
【０１３６】
例えば、前記媒体アクセス制御層の制御エレメントの特定のフィールド中の少なくとも1つのビットの値は、前記少なくとも1つのビットに対応するユーザ装置の少なくとも1つのデータ送信実体の重複伝送モードが成功裏にアクティベーション又はディアクティベーションされているかを示しても良く、又は、前記少なくとも1つのビットに対応するユーザ装置の少なくとも1つのデータ送信実体の現在のデータ伝送モードが重複伝送モード又は分割伝送モードであることを示しても良い。
【０１３７】
また、例えば、前記ネットワーク装置に前記重複伝送モードのアクティベーション命令又はディアクティベーション命令の確認情報を送信することは、PDCP  PDUにより、ネットワーク装置に前記重複伝送モードのアクティベーション命令又はディアクティベーション命令の確認情報を送信することを含む。
【０１３８】
例えば、前記PDCP  PDUの特定のフィールドは、ユーザ装置のデータ送信実体の重複伝送モードが成功裏にアクティベーション又はディアクティベーションされているかを示しても良く、又は、ユーザ装置のデータ送信実体の現在のデータ伝送モードが重複伝送モード又は分割伝送モードであることを示しても良い。
【０１３９】
もう１つの実施方式では、アクティベーション命令の確認装置は、処理器1910と別々で配置されても良く、例えば、アクティベーション命令の確認装置を、処理器1910に接続されるチップとして構成し、そして、処理器1910の制御でアクティベーション命令の確認装置の機能を実現しても良い。
【０１４０】
図19に示すように、該ユーザ装置1900は、さらに、通信モジュール1930、入力ユニット1940、表示器1950、電源1960を含んでも良い。なお、ユーザ装置1900は、図19中の全ての部品を含む必要がない。また、ユーザ装置1900は、さらに、図19に無いものを含んでも良く、これについては、従来技術を参照することができる。
【０１４１】
図19に示すように、処理器1910は、制御器又は操作コントローラと称される場合があり、マイクロプロセッサ又は他の処理装置及び／又は論理装置を含んでも良く、該処理器1910は、入力を受信してユーザ装置1900の各部品の操作を制御することができる。
【０１４２】
そのうち、記憶器1920は、例えば、バッファ、フレッシュメモリ、HDD、移動可能な媒体、揮発性記憶器、不揮発性記憶器又は他の適切な装置のうちの１つ又は複数であっても良い。それは、各種のデータを記憶することができ、また、さらに情報処理用のプログラムを記憶することもできる。処理器1910は、該記憶器1920に記憶されている該プログラムを実行することで、情報の記憶や処理を実現することができる。なお、他の部品の機能は、従来と同様であり、ここでは、その詳しい説明を省略する。また、ユーザ装置1900の各部品は、専用ハードウェア、ファームウェア、ソフトウェア又はその組み合わせにより実現されても良く、これらは、全て、本発明の範囲に属する。
【０１４３】
上述の実施例から分かるように、ネットワーク装置に重複伝送モードのアクティベーション命令又はディアクティベーション命令の確認メッセージを送信することで、ネットワーク装置は、ユーザ装置のデータ送信実体の現在のデータ伝送モードを確認し、ネットワーク装置とユーザ装置のデータ伝送モードに対しての設定の整合性を保証し、また、ネットワーク装置の、ユーザ装置のバッファ状態報告への誤解を避けることができるため、データ伝送の信頼性及びリソース割り当ての合理性を保証することができる。
【実施例１２】
【０１４４】
本発明の実施例は、さらに、ユーザ装置を提供し、該ユーザ装置は、実施例8に記載のようなデータ伝送モードの報告装置を含む。
【０１４５】
図20は、本発明の実施例12におけるユーザ装置のシステム構成を示す図である。図20に示すように、該ユーザ装置2000は、処理器2010及び記憶器2020を含み、記憶器2020は、処理器2010に接続される。なお、該図は、例示に過ぎず、さらに該構造に対して、他の類型の構造を以て補充又は代替を行い、電気通信機能又は他の機能を実現しても良い。
【０１４６】
1つの実施方式では、データ伝送モードの報告装置の機能は、処理器2010に集積することができる。そのうち、処理器2010は、次のように構成されても良く、即ち、ネットワーク装置にユーザ装置のデータ送信実体の現在のデータ伝送モードを示す情報を送信する。
【０１４７】
例えば、前記ネットワーク装置にユーザ装置のデータ送信実体の現在のデータ伝送モードを示す情報を送信することは、所定の周期に従ってネットワーク装置にユーザ装置のデータ送信実体の現在のデータ伝送モードを示す情報を送信すること、又は、ユーザ装置のデータ送信実体のデータ伝送モードが変化した場合、ネットワーク装置に前記データ送信実体の現在のデータ伝送モードを示す情報を送信することを含む。
【０１４８】
例えば、前記ネットワーク装置にユーザ装置のデータ送信実体の現在のデータ伝送モードを示す情報を送信することは、媒体アクセス制御層の制御エレメント（MAC  CE）により、ネットワーク装置にユーザ装置のデータ送信実体の現在のデータ伝送モードを示す情報を送信することを含む。
【０１４９】
例えば、重複伝送確認MAC  CEにより、ネットワーク装置にユーザ装置のデータ送信実体の現在のデータ伝送モードを示す情報を送信しても良い。
【０１５０】
例えば、前記媒体アクセス制御層の制御エレメントは、ビットマッピングの方式で、少なくとも1つの前記データ送信実体の現在のデータ伝送モードを示しても良い。
【０１５１】
例えば、前記媒体アクセス制御層の制御エレメントの特定のフィールド中の少なくとも1つのビットの値により、前記少なくとも1つのビットに対応する少なくとも1つの前記データ送信実体の現在のデータ伝送モードを示しても良い。
【０１５２】
また、例えば、前記ネットワーク装置にユーザ装置のデータ送信実体の現在のデータ伝送モードを示す情報を送信することは、PDCP  PDUにより、ネットワーク装置にユーザ装置のデータ送信実体の現在のデータ伝送モードを示す情報を送信することを含む。
【０１５３】
例えば、前記PDCP  PDUの特定のフィールドにより、前記データ送信実体の現在のデータ伝送モードを示しても良い。
【０１５４】
例えば、前記データ伝送モードは、重複伝送モード又は分割伝送モードである。
【０１５５】
もう1つの実施方式では、データ伝送モードの報告装置は、処理器2010と別々で配置されても良く、例えば、データ伝送モードの報告装置を、処理器2010に接続されるチップとして構成し、処理器2010の制御でデータ伝送モードの報告装置の機能を実現しても良い。
【０１５６】
図20に示すように、該ユーザ装置2000は、さらに、通信モジュール2030、入力ユニット2040、表示器2050、電源2060を含んでも良い。なお、ユーザ装置2000は、図20中の全ての部品を含む必要がない。また、ユーザ装置2000は、さらに、図20に無い部品を含んでも良く、これについては、従来技術を参照することができる。
【０１５７】
図20に示すように、処理器2010は、制御器又は操作コントローラと称される場合があり、マイクロプロセッサ又は他の処理装置及び／又は論理装置を含んでも良く、該処理器2010は、入力を受信してユーザ装置2000の各部品の操作を制御することができる。
【０１５８】
そのうち、記憶器2020は、例えば、バッファ、フレッシュメモリ、HDD、移動可能な媒体、揮発性記憶器、不揮発性記憶器又は他の適切な装置のうちの１つ又は複数であっても良い。それは、各種のデータを記憶することができ、また、さらに情報処理用のプログラムを記憶することもできる。処理器2010は、該記憶器2020に記憶されている該プログラムを実行し、情報の記憶や処理を実現することができる。なお、他の部品の機能は、従来と同様であり、ここでは、その詳しい説明を省略する。また、ユーザ装置2000の各部品は、専用ハードウェア、ファームウェア、ソフトウェア又はその組み合わせにより実現されても良いが、すべては、本発明の範囲に属する。
【０１５９】
上述の実施例から分かるように、ネットワーク装置にユーザ装置のデータ送信実体の現在のデータ伝送モードを示す情報を報告することで、ネットワーク装置は、ユーザ装置のデータ送信実体の現在のデータ伝送モードを確認し、ネットワーク装置とユーザ装置のデータ伝送モードに対しての設定の整合性を保証し、また、ネットワーク装置の、ユーザ装置のバッファ状態報告への誤解を避けることができるため、データ伝送の信頼性及びリソース割り当ての合理性を保証することができる。
【実施例１３】
【０１６０】
本発明の実施例は、さらに、ネットワーク装置を提供し、該ネットワーク装置は、実施例9に記載のようなアクティベーション命令の確認装置を含む。
【０１６１】
図21は、本発明の実施例13におけるネットワーク装置の構成を示す図である。図21に示すように、ネットワーク装置2100は、処理器（processor）2110及び記憶器2120を含み、記憶器2120は、処理器2110に接続される。そのうち、該記憶器2120は、各種データを記憶することができ、さらに情報処理用のプログラム2130を記憶することができ、また、処理器2110の制御下で該プログラム2130を実行することで、ユーザ装置が送信する各種の情報を受信し、ユーザ装置に各種の情報を送信することができる。
【０１６２】
1つの実施方式では、アクティベーション命令の確認装置の機能は、処理器2110に統合することができる。そのうち、処理器2110は、次のように構成されても良く、ユーザ装置が送信する重複伝送モードのアクティベーション命令又はディアクティベーション命令の確認情報を受信する。
【０１６３】
例えば、処理器2110は、さらに、受信した、ユーザ装置が送信する重複伝送モードのアクティベーション命令又はディアクティベーション命令の確認情報により示される該ユーザ装置のデータ送信実体の現在のデータ伝送モードと、その前に該ユーザ装置に送信する命令とが不一致の場合、該ユーザ装置に該重複伝送モードのアクティベーション命令又はディアクティベーション命令を再び送信する。
【０１６４】
もう1つの実施方式では、アクティベーション命令の確認装置は、処理器2110と別々で配置されても良く、例えば、アクティベーション命令の確認装置を、処理器2110に接続されるチップとして構成し、そして、処理器2110の制御でアクティベーション命令の確認装置の機能を実現しても良い。
【０１６５】
また、図21に示すように、ネットワーク装置2100は、さらに、送受信機2140、アンテナ2150などを含んでも良く、そのうち、上述の部品の機能は、従来技術と同様であるため、ここでは、その詳しい説明を省略する。なお、ネットワーク装置2100は、図21中の全ての部品を含む必要がない。また、ネットワーク装置2100は、さらに、図21にない部品を含んでも良く、これについては、従来技術を参照することができる。
【０１６６】
上述の実施例から分かるように、ユーザ装置が送信する重複伝送モードのアクティベーション命令又はディアクティベーション命令の確認メッセージを受信することで、ネットワーク装置は、ユーザ装置のデータ送信実体の現在のデータ伝送モードを確認し、ネットワーク装置とユーザ装置のデータ伝送モードに対しての設定の整合性を保証し、また、ネットワーク装置の、ユーザ装置のバッファ状態報告への誤解を避けることができるため、データ伝送の信頼性及びリソース割り当ての合理性を保証することができる。
【実施例１４】
【０１６７】
本発明の実施例は、さらに、ネットワーク装置を提供し、該ネットワーク装置は、実施例10に記載のようなアクティベーション命令の確認装置を含む。
【０１６８】
図22は、本発明の実施例14におけるネットワーク装置の構成を示す図である。図22に示すように、ネットワーク装置2200は、処理器（processor）2210及び記憶器2220を含み、記憶器2220は、処理器2210に接続される。そのうち、該記憶器2220は、各種のデータを記憶することができ、さらに情報処理用のプログラム2230を記憶することができ、また、処理器2210の制御下で該プログラム2230を実行することで、ユーザ装置が送信する各種の情報を受信し、ユーザ装置に各種の情報を送信することもできる。
【０１６９】
1つの実施方式では、アクティベーション命令の確認装置の機能は、処理器2210に集積することができる。そのうち、処理器2210は、次のように構成されても良く、即ち、重複伝送モードのアクティベーション命令又はディアクティベーション命令を送信してからの所定の期間内でユーザ装置が送信する該重複伝送モードのアクティベーション命令又はディアクティベーション命令の確認情報を受信しない場合、該ユーザ装置に該重複伝送モードのアクティベーション命令又はディアクティベーション命令を再び送信する。
【０１７０】
もう1つの実施方式では、アクティベーション命令の確認装置は、処理器2210と別々で配置することができ、例えば、アクティベーション命令の確認装置を、処理器2210に接続委されるチップとして構成し、そして、処理器2210の制御でアクティベーション命令の確認装置の機能を実現しても良い。
【０１７１】
また、図22に示すように、ネットワーク装置2200は、さらに、送受信機2240、アンテナ2250などを含んでも良い。そのうち、これらの部品の機能は、従来技術と同様であるから、ここでは、その詳しい説明を省略する。なお、ネットワーク装置2200は、図22中のすべての部品を含む必要がない。また、ネットワーク装置2200は、さらに図22にないものを含んでも良く、これについては、従来技術を参照することができる。
【０１７２】
上述の実施例から分かるように、ある原因でネットワーク装置が命令を送信してからの所定の期間内で重複伝送モードのアクティベーション命令又はディアクティベーション命令の確認情報を受信していない場合、ネットワーク装置は、ユーザ装置に該命令を再び送信し、これにより、ネットワーク装置とユーザ装置のデータ伝送モードに対しての設定の整合性を保証し、また、ネットワーク装置の、ユーザ装置のバッファ状態報告への誤解を避けることができるため、データ伝送の信頼性及びリソース割り当ての合理性を保証することができる。
【実施例１５】
【０１７３】
本発明の実施例は、さらに、通信システムを提供し、それは、実施例11に記載のユーザ装置及び実施例13又は実施例14に記載のネットワーク装置を含む。例えば、該通信システムの構成は、図1を参照することができる。図1に示すように、通信システム100は、ネットワーク装置101及びユーザ装置102を含み、ネットワーク装置101の構成及び機能は、実施例13又は実施例14と同様であり、ユーザ装置102の構成及び機能は、実施例11と同様であるから、ここでは、その詳細な説明を省略する。
【０１７４】
上述の実施例から分かるように、ネットワーク装置に重複伝送モードのアクティベーション命令又はディアクティベーション命令の確認メッセージ、又は、ネットワーク装置報告ユーザ装置のデータ送信実体の現在のデータ伝送モードを示す情報を送信することで、ネットワーク装置は、ユーザ装置のデータ送信実体の現在のデータ伝送モードを確認し、ネットワーク装置とユーザ装置のデータ伝送モードに対しての設定の整合性を保証し、また、ネットワーク装置の、ユーザ装置のバッファ状態報告への誤解を避けることができるため、データ伝送の信頼性及びリソース割り当ての合理性を保証することができる。
【０１７５】
本発明の以上のユーザ装置及び方法は、ソフトウェア又はハードウェアにより実現されても良く、ハードウェアとソフトウェアとの組み合わせにより実現されても良い。本発明は、さらに、下記のようなコンピュータ読み取り可能なプログラムに関し、即ち、該プログラムは、ロジック部品により実行されるときに、該ロジック部品に、上述のユーザ装置又は構造部品を実現させ、又は、該ロジック部品に、上述の各種の方法又はステップを実現させる。ロジック部品は、例えば、FPGA（Field  Programmable  Gate  Array）、マイクロプロセッサー、コンピュータに用いる処理器などであっても良い。本発明は、さらに、上述のプログラムを記憶した記憶媒体、例えば、ハードディスク、磁気ディスク、光ハードディスク、DVD、フラッシュメモリなどにも関する。
【０１７６】
また、図面に記載の機能ブロックのうちの１つ又は複数の組み合わせ及び／又は機能ブロックの１つ又は複数の組み合わせは、本願に記載の機能を実行するための汎用処理器、デジタル信号処理器（DSP）、専用集積バックホール（ASIC）、フィールドプログラマブルゲートアレイ（FPGA）又は他のプログラム可能な論理部品、ディスクリートゲート又はトランジスタ論理部品、ディスクリートハードウェアアセンブリ又は他の任意の適切な組む合わせとして実現されても良い。また、図面に記載の機能ブロックのうちの１つ又は複数の組み合わせ及び／又は機能ブロックの１つ又は複数の組み合わせは、さらに、計算装置の組み合わせ、例えば、DSP及びマイクロプロセッサの組み合わせ、複数のマイクロプロセッサ、DSPと通信により接続される１つ又は複数のマイクロプロセッサ又は他の任意のこのような構成として構成されても良い。
【０１７７】
以上、本発明の好ましい実施形態を説明したが、本発明はこのような実施形態に限定されず、本発明の趣旨を離脱しない限り、本発明に対するあらゆる変更は本発明の技術の範囲に属する。
【０１７８】
また、以上の実施例などに関して、さらに次のように付記を開示する。
【０１７９】
（付記1）
アクティベーション命令の確認装置であって、
重複伝送モードのアクティベーション命令又はディアクティベーション命令を受信した場合、ネットワーク装置に前記重複伝送モードのアクティベーション命令又はディアクティベーション命令の確認情報を送信する第一送信ユニットを含む、装置。
【０１８０】
（付記2）
付記1に記載の装置であって、
前記第一送信ユニットは、媒体アクセス制御層の制御エレメント（MAC  CE）により、ネットワーク装置に前記重複伝送モードのアクティベーション命令又はディアクティベーション命令の確認情報を送信する、装置。
【０１８１】
（付記3）
付記2に記載の装置であって、
前記第一送信ユニットは、重複伝送確認MAC  CEにより、ネットワーク装置に前記重複伝送モードのアクティベーション命令又はディアクティベーション命令の確認情報を送信する、装置。
【０１８２】
（付記4）
付記2に記載の装置であって、
前記媒体アクセス制御層の制御エレメントは、ユーザ装置が前記重複伝送モードのアクティベーション命令又はディアクティベーション命令を受信していることを示す、装置。
【０１８３】
（付記5）
付記2に記載の装置であって、
前記媒体アクセス制御層の制御エレメントは、ビットマッピングの方式で、ユーザ装置の少なくとも1つのデータ送信実体の重複伝送モードが成功裏にアクティベーション又はディアクティベーションされているか、又は、ユーザ装置の少なくとも1つのデータ送信実体の現在のデータ伝送モードを示す、装置。
【０１８４】
（付記6）
付記5に記載の装置であって、
前記媒体アクセス制御層の制御エレメントは、特定のフィールド中の少なくとも1つのビットの値により、前記少なくとも1つのビットに対応するユーザ装置の少なくとも1つのデータ送信実体の重複伝送モードが成功裏にアクティベーション又はディアクティベーション重複伝送モードされているか、又は、前記少なくとも1つのビットに対応するユーザ装置の少なくとも1つのデータ送信実体の現在のデータ伝送モードが重複伝送モード又は分割伝送モードであることを示す、装置。
【０１８５】
（付記7）
付記1に記載の装置であって、
前記第一送信ユニットは、PDCP  PDUにより、ネットワーク装置に前記重複伝送モードのアクティベーション命令又はディアクティベーション命令の確認情報を送信する、装置。
【０１８６】
（付記8）
付記7に記載の装置であって、
前記PDCP  PDUは、特定のフィールドにより、ユーザ装置のデータ送信実体の重複伝送モードが成功裏にアクティベーション又はディアクティベーションされているか、又は、ユーザ装置のデータ送信実体の現在のデータ伝送モードが重複伝送モード又は分割伝送モードであることを示す、装置。
【０１８７】
（付記9）
データ伝送モードの報告装置であって、
ネットワーク装置にユーザ装置のデータ送信実体の現在のデータ伝送モードを示す情報を送信する第二送信ユニットを含む、装置。
【０１８８】
（付記10）
付記9に記載の装置であって、
前記第二送信ユニットは、所定の周期に従って、ネットワーク装置にユーザ装置のデータ送信実体の現在のデータ伝送モードを示す情報を送信し；又は、
前記第二送信ユニットは、ユーザ装置のデータ送信実体のデータ伝送モードが変化した場合、ネットワーク装置に前記データ送信実体の現在のデータ伝送モードを示す情報を送信する、装置。
【０１８９】
（付記11）
付記9に記載の装置であって、
前記第二送信ユニットは、媒体アクセス制御層の制御エレメント（MAC  CE）により、ネットワーク装置にユーザ装置のデータ送信実体の現在のデータ伝送モードを示す情報を送信する、装置。
【０１９０】
（付記12）
付記11に記載の装置であって、
前記第二送信ユニットは、重複伝送確認MAC  CEにより、ネットワーク装置にユーザ装置のデータ送信実体の現在のデータ伝送モードを示す情報を送信する、装置。
【０１９１】
（付記13）
付記11に記載の装置であって、
前記媒体アクセス制御層の制御エレメントは、ビットマッピングの方式で、少なくとも1つの前記データ送信実体の現在のデータ伝送モードを示す、装置。
【０１９２】
（付記14）
付記13に記載の装置であって、
前記媒体アクセス制御層の制御エレメントは、特定のフィールド中の少なくとも1つのビットの値により、前記少なくとも1つのビットに対応する少なくとも1つの前記データ送信実体の現在のデータ伝送モードを示す、装置。
【０１９３】
（付記15）
付記9に記載の装置であって、
前記第二送信ユニットは、PDCP  PDUにより、ネットワーク装置にユーザ装置のデータ送信実体の現在のデータ伝送モードを示す情報を送信する、装置。
【０１９４】
（付記16）
付記15に記載の装置であって、
前記PDCP  PDUは、特定のフィールドにより、前記データ送信実体の現在のデータ伝送モードを示す、装置。
【０１９５】
（付記17）
付記9〜16中の任意の1項に記載の装置であって、
前記データ伝送モードは、重複伝送モード又は分割伝送モードである、装置。
【０１９６】
（付記18）
ユーザ装置であって、
前記ユーザ装置は、付記1に記載のアクティベーション命令の確認装置又は付記9に記載のデータ伝送モードの報告装置を含む、ユーザ装置。
【０１９７】
（付記19）
アクティベーション命令の確認装置であって、
ユーザ装置が送信する重複伝送モードのアクティベーション命令又はディアクティベーション命令の確認情報を受信する第一受信ユニットを含む、装置。
【０１９８】
（付記20）
付記19に記載の装置であって、さらに、
受信した、ユーザ装置が送信する重複伝送モードのアクティベーション命令又はディアクティベーション命令の確認情報により示される前記ユーザ装置のデータ送信実体の現在のデータ伝送モードと、その前に前記ユーザ装置に送信した命令とが不一致の場合、前記ユーザ装置に前記重複伝送モードのアクティベーション命令又はディアクティベーション命令を再び送信する第三送信ユニットを含む、装置。
【０１９９】
（付記21）
アクティベーション命令の確認装置であって、
重複伝送モードのアクティベーション命令又はディアクティベーション命令を送信してからの所定の期間内でユーザ装置が送信する前記重複伝送モードのアクティベーション命令又はディアクティベーション命令の確認情報を受信していない場合、前記ユーザ装置に前記重複伝送モードのアクティベーション命令又はディアクティベーション命令を再び送信する第四送信ユニットを含む、装置。
【０２００】
（付記22）
ネットワーク装置であって、
前記ネットワーク装置は、付記19又は21に記載のアクティベーション命令の確認装置を含む、ネットワーク装置。
【０２０１】
（付記23）
通信システムであって、
前記通信システムは、付記18に記載のユーザ装置及び付記22に記載のネットワーク装置を含む、通信システム。
【０２０２】
（付記24）
アクティベーション命令の確認方法であって、
重複伝送モードのアクティベーション命令又はディアクティベーション命令を受信した場合、ネットワーク装置に前記重複伝送モードのアクティベーション命令又はディアクティベーション命令の確認情報を送信することを含む、方法。
【０２０３】
（付記25）
付記24に記載の方法であって、
前記ネットワーク装置に前記重複伝送モードのアクティベーション命令又はディアクティベーション命令の確認情報を送信することは、
媒体アクセス制御層の制御エレメント（MAC  CE）により、ネットワーク装置に前記重複伝送モードのアクティベーション命令又はディアクティベーション命令の確認情報を送信することを含む、方法。
【０２０４】
（付記26）
付記25に記載の方法であって、
重複伝送確認MAC  CEにより、ネットワーク装置に前記重複伝送モードのアクティベーション命令又はディアクティベーション命令の確認情報を送信する、方法。
【０２０５】
（付記27）
付記25に記載の方法であって、
前記媒体アクセス制御層の制御エレメントは、ユーザ装置が前記重複伝送モードのアクティベーション命令又はディアクティベーション命令を受信していることを示す、方法。
【０２０６】
（付記28）
付記25に記載の方法であって、
前記媒体アクセス制御層の制御エレメントは、ビットマッピングの方式で、重複伝送モードが成功裏にアクティベーション又はディアクティベーションされているか、又は、ユーザ装置の少なくとも1つのデータ送信実体の現在のデータ伝送モードを示す、方法。
【０２０７】
（付記29）
付記28に記載の方法であって、
前記媒体アクセス制御層の制御エレメントは、特定のフィールド中の少なくとも1つのビットの値により、前記少なくとも1つのビットに対応するユーザ装置の少なくとも1つのデータ送信実体の重複伝送モードが成功裏にアクティベーション又はディアクティベーションされているか、又は、前記少なくとも1つのビットに対応するユーザ装置の少なくとも1つのデータ送信実体の現在のデータ伝送モードが重複伝送モード又は分割伝送モードであることを示す、方法。
【０２０８】
（付記30）
付記24に記載の方法であって、
前記ネットワーク装置に前記重複伝送モードのアクティベーション命令又はディアクティベーション命令の確認情報を送信することは、
PDCP  PDUにより、ネットワーク装置に前記重複伝送モードのアクティベーション命令又はディアクティベーション命令の確認情報を送信することを含む、方法。
【０２０９】
（付記31）
付記30に記載の方法であって、
前記PDCP  PDUは、特定のフィールドにより、ユーザ装置のデータ送信実体の重複伝送モードが成功裏にアクティベーション又はディアクティベーションされているか、又は、ユーザ装置のデータ送信実体の現在のデータ伝送モードが重複伝送モード又は分割伝送モードであることを示す、方法。
【０２１０】
（付記32）
データ伝送モードの報告方法であって、
ネットワーク装置にユーザ装置のデータ送信実体の現在のデータ伝送モードを示す情報を送信することを含む、方法。
【０２１１】
（付記33）
付記32に記載の方法であって、
前記ネットワーク装置にユーザ装置のデータ送信実体の現在のデータ伝送モードを示す情報を送信することは、
所定の周期に従って、ネットワーク装置にユーザ装置のデータ送信実体の現在のデータ伝送モードを示す情報を送信し；又は、
ユーザ装置のデータ送信実体のデータ伝送モードが変化した場合、ネットワーク装置に前記データ送信実体の現在のデータ伝送モードを示す情報を送信することを含む、方法。
【０２１２】
（付記34）
付記32に記載の方法であって、
前記ネットワーク装置にユーザ装置のデータ送信実体の現在のデータ伝送モードを示す情報を送信することは、
媒体アクセス制御層の制御エレメント（MAC  CE）により、ネットワーク装置にユーザ装置のデータ送信実体の現在のデータ伝送モードを示す情報を送信することを含む、方法。
【０２１３】
（付記35）
付記34に記載の方法であって、
重複伝送確認MAC  CEにより、ネットワーク装置にユーザ装置のデータ送信実体の現在のデータ伝送モードを示す情報を送信する、方法。
【０２１４】
（付記36）
付記34に記載の方法であって、
前記媒体アクセス制御層の制御エレメントは、ビットマッピングの方式で、少なくとも1つの前記データ送信実体の現在のデータ伝送モードを示す、方法。
【０２１５】
（付記37）
付記36に記載の方法であって、
前記媒体アクセス制御層の制御エレメントは、特定のフィールド中の少なくとも1つのビットの値により、前記少なくとも1つのビットに対応する少なくとも1つの前記データ送信実体の現在のデータ伝送モードを示す、方法。
【０２１６】
（付記38）
付記32に記載の方法であって、
前記ネットワーク装置にユーザ装置のデータ送信実体の現在のデータ伝送モードを示す情報を送信することは、
PDCP  PDUにより、ネットワーク装置にユーザ装置のデータ送信実体の現在のデータ伝送モードを示す情報を送信することを含む、方法。
【０２１７】
（付記39）
付記38に記載の方法であって、
前記PDCP  PDUは、特定のフィールドにより、前記データ送信実体の現在のデータ伝送モードを示す、方法。
【０２１８】
（付記40）
付記32〜39中の任意の1項に記載の方法であって、
前記データ伝送モードは、重複伝送モード又は分割伝送モードである、方法。
【０２１９】
（付記41）
アクティベーション命令の確認方法であって、
ユーザ装置が送信する重複伝送モードのアクティベーション命令又はディアクティベーション命令の確認情報を受信することを含む、方法。
【０２２０】
（付記42）
付記41に記載の方法であって、さらに、
受信した、ユーザ装置が送信する重複伝送モードのアクティベーション命令又はディアクティベーション命令の確認情報により示される前記ユーザ装置のデータ送信実体の現在のデータ伝送モードと、その前に前記ユーザ装置に送信する命令とが不一致の場合、前記ユーザ装置に前記重複伝送モードのアクティベーション命令又はディアクティベーション命令を再び送信することを含む、方法。
【０２２１】
（付記43）
アクティベーション命令の確認方法であって、
重複伝送モードのアクティベーション命令又はディアクティベーション命令を送信してからの所定の期間内でユーザ装置が送信する前記重複伝送モードのアクティベーション命令又はディアクティベーション命令の確認情報を受信していない場合、前記ユーザ装置に前記重複伝送モードのアクティベーション命令又はディアクティベーション命令を再び送信することを含む、方法。
【図１】
2020509689.tif 000003
【図２】
2020509689.tif 000004
【図３】
2020509689.tif 000005
【図４】
2020509689.tif 000006
【図５】
2020509689.tif 000007
【図６】
2020509689.tif 000008
【図７】
2020509689.tif 000009
【図８】
2020509689.tif 000010
【図９】
2020509689.tif 000011
【図１０】
2020509689.tif 000012
【図１１】
2020509689.tif 000013
【図１２】
2020509689.tif 000014
【図１３】
2020509689.tif 000015
【図１４】
2020509689.tif 000016
【図１５】
2020509689.tif 000017
【図１６】
2020509689.tif 000018
【図１７】
2020509689.tif 000019
【図１８】
2020509689.tif 000020
【図１９】
2020509689.tif 000021
【図２０】
2020509689.tif 000022
【図２１】
2020509689.tif 000023
【図２２】
2020509689.tif 000024
【国際調査報告】
2020509689.tif 000025
2020509689.tif 000026
2020509689.tif 000027
2020509689.tif 000028